(57)【要約】【課題】    住宅の、特に玄関床と土間との間の段差を跨いで現場で設置される玄関収納体等の収納体で、支持脚に非丸棒体を用いたものを施工性、意匠性良く設置できるものを提供する。【解決手段】  下部に枠部４を設けた玄関収納本体１と支持脚２とからなる玄関収納体Ａの設置方法であって、支持脚２は非丸棒体でその上部に取り付け用凸部１７が設けられており、この玄関収納本体１の下部の枠部４内面に上記非丸棒体からなる支持脚の所定面を当接させた状態で玄関収納本体１下部の枠部４所定位置に設けた支持脚受け桟１１の孔部１６に上記支持脚２上部の取り付け用凸部１７を取り付けるようにしたもの。【選択図】  図１
2009028216.tif 000002
【特許請求の範囲】
【請求項１】
下部に枠部を設けた収納本体と支持脚とからなる収納体の設置方法であって、支持脚は非丸棒体でその上部に取り付け用凸部が設けられており、上記収納本体下部の枠部内面に上記非丸棒体からなる支持脚の所定部を当接させた状態で収納本体下部の枠部所定位置に設けた支持脚受け桟の孔部に上記支持脚上部の取り付け用凸部を取り付けることを特徴とする収納体の設置方法。
【請求項２】
支持脚上部に設けた取り付け用凸部がボルト部であり、支持脚受け桟の孔部に、下方から上記ボルト部を挿入し、その上方から該ボルト部に螺合する螺合孔を有するナットの螺合孔をボルト部に螺合し、ナットを締め付けて収納本体に支持脚を取り付けることを特徴とする請求項１に記載の収納体の設置方法。
【発明の詳細な説明】
【技術分野】
【０００１】
本発明は、住宅の、特に玄関床と土間との間の段差を跨いで、現場で設置される玄関収納体等の収納体の設置方法に関する。
【背景技術】
【０００２】
従来の玄関収納は、例えば特許文献１にその一例を示すように、土間と室内フロア（玄関床）との間の段差に跨って設置されるものが良く知られており、室内フロア（玄関床）側は、玄関収納の収納部下面をフロア面に当接するように設置し、フロア面より一段低い土間側は、収納体下部に固定した支持脚を、土間面に当接させて設置している。
【０００３】
この場合に、フロア面と土間面との段差は、施工現場によって異なるので、施工現場の段差に合せて支持脚を切断してその高さを調整している。また、収納体下部と支持脚との固定は、通常、収納体下部に設けた螺合孔に、支持脚上部のボルト部を支持脚を回転させながら螺合することにより行なわれている。このため、支持脚として方向性のない丸棒体が用いられ、完全に螺合した時に丸棒体の位置がどの位置にあっても、支持脚の外観に不具合が出ないように行なわれている。
【０００４】
一方、支持脚のデザインを変えて玄関収納のデザインを多様化させるため、この支持脚に四角棒状や六角棒状などの非丸棒体を用いようとした場合、前記丸棒体の場合と同様に回転させながら螺合しようとすると、非丸棒体は方向によって外形が異なるため、非丸棒体の向きが異なることになり、取り付け外観に重大な不具合が生じることになる。
【特許文献１】実開平１０−１０８７４２号
【発明の開示】
【発明が解決しようとする課題】
【０００５】
本発明は、かかる問題点に鑑みなされたもので、玄関収納体等の収納体の支持脚に非丸棒体を用いた場合にも、収納体を外観を損なうことなく、且つ取り付け性良く設置面に設置することができる収納体の設置方法を提供することを目的とする。
【課題を解決するための手段】
【０００６】
上記目的を達成するために、請求項１に係る発明の収納体の設置方法は、下部に枠部を設けた収納本体と支持脚とからなる収納体の設置方法であって、支持脚は非丸棒体でその上部に取り付け用凸部が設けられており、上記収納本体の枠部内面に上記非丸棒体からなる支持脚の所定部を当接させた状態で収納本体下部の枠部所定位置に支持脚上部の取り付け用凸部を取り付けることを特徴とする。
【０００７】
また、請求項２に係る発明の収納体の設置方法は、請求項１の発明の収納体の設置方法において、支持脚上部に設けた取り付け用凸部がボルト部であり、支持脚受け桟の孔部に、下方から上記ボルト部を挿入し、その上方から該ボルト部に螺合する螺合孔を有するナットの螺合孔をボルト部に螺合し、ナットを締め付けて収納本体に支持脚を取り付けることを特徴とする。
【発明の効果】
【０００８】
請求項１に係る発明の収納体の設置方法によると、収納本体の枠部内面に非丸棒体からなる支持脚の所定部を当接させた状態で収納本体下部の枠部所定位置に支持脚上部の取り付け用凸部を取り付けているので、非丸棒体のように向きのある多様な支持脚を用いた場合にも、支持脚を枠部内面にその方向を一定にした状態で、取り付け性、外観性良く収納体を設置することができる。
【０００９】
また、請求項２に係る発明の収納体の設置方法によると、請求項１の発明の収納体の設置方法において、支持脚上部の取り付け用凸部をボルト部とし、収納本体下部の枠部所定位置に設けた支持脚受け桟に、ナットを締め付けて収納本体に支持脚を取り付けることができるので、請求項１の発明に加えて設置作業を一層良好確実に行なうことができる。
【発明を実施するための最良の形態】
【００１０】
以下、本発明を実施するための実施形態を図面に基づき説明する。尚、本発明は本実施形態の記載内容に限られるものではない。
【００１１】
図１は、本実施形態に係る玄関収納体Ａを玄関床２８と土間２９の間に跨って設置した玄関収納体Ａの設置状態を示す。この玄関収納体Ａは、玄関収納本体１と支持脚２とからなり、玄関収納本体１は、上方の収納部３と台輪部と称される下方の枠部４とで構成され、この下方の枠部４は上方の収納部３から分離できるように形成されている。
【００１２】
図２は、枠部４を下から見た状態を示し、図３はその要部拡大図を示す。図２、図３より、枠部４は、相対する左右の側枠５、６と前枠７と後枠８とで形成された外周矩形枠からなり、この外周矩形枠の中に、補強のため２本の中桟９、１０が夫々その一端を前枠７に、他端を後枠８に固定されて形成されている。
【００１３】
そして、側枠５と中桟９の間、および側枠６と中桟１０の間には、夫々中桟９、１０に接するようにして、前後方向に支持脚受け桟１１、１２が設けられ、その他の部分１３、１４、１５は中空部となっている。
【００１４】
そして、土間２９側の支持脚受け桟１１の前側および後側の所定位置には、製造時または施工現場において予め支持脚２取り付け用の孔部１６、１６が穿設され、この孔部１６、１６に支持脚２、２が夫々固定できるようになっている。尚、土間２９側が支持脚受け桟１２の側になる場合は、孔部１６を支持脚受け桟１２の前側および後側の所定位置に穿設しておくことにより、支持脚２を支持脚受け桟１２の孔部に固定できるようになっている。
【００１５】
また、枠部４である外周矩形枠を構成する前枠７、側枠５、６、後枠８のうち、少なくとも設置後にその表面が外部から見える前枠７や、側枠５、６の表面には、突板貼り、化粧シート貼り、塗装、或いはそれらの組み合わせ等によって表面化粧が施されている。
【００１６】
尚、収納部３は、本実施形態では４つの扉を備えたものを示したが、これに限らず種々の形状のものを用いることができる。
【００１７】
また、本実施例においては、図２のように、側枠５と中桟９の間、および側枠６と中桟１０の間には、夫々中桟９、１０に接するようにして、前後方向に支持脚受け桟１１、１２が設けられているが、これに替えて、夫々の支持脚受け桟１１、１２は、側枠５、６に接するように設けられていてもよい（図示せず）。さらに、側枠５と支持脚受け桟１１の間、および側枠６と支持脚受け桟１２の間に、夫々支持脚受け桟１１、１２に接するようにして、前後方向に中桟９、１０が設けられていてもよい（図示せず）。
【００１８】
図４は支持脚２を示し、該支持脚２は支持脚本体１８と、該支持脚本体１８の上部に設けた取り付け用凸部１７と、支持脚本体１８の下部に着脱可能に設けた高さ調整具１９とからなる。
【００１９】
ここにおいて支持脚本体１８は、四角棒体で形成されている。四角棒体以外に、三角棒体や六角棒体等の多角形棒体、楕円形棒体、彫刻状棒体等の方向性のある非丸棒体を用いることができる。即ち、この種用途に汎用の丸棒体を用いた場合、３６０°いずれの角度から見ても同じ丸棒体であるので、その方向性を考えないで丸棒体を支持脚受け桟１１に取り付けることができるが、そのデザインが丸棒体に限定されるという欠点がある。上記非丸棒体にすることによって、支持脚２のデザインの多様化、ひいては玄関収納体Ａの装飾性を向上させることができる。
【００２０】
また、取り付け用凸部１７は、金属製丸棒に雄ネジを切ったボルト部１７に形成されており、支持脚本体１８の上部中央にその下部を埋設した状態で固定されている。そして、図５の（ａ）および（ｂ）に示すナット２３によって螺合し、支持脚受け桟１１に強固に固定できるようになっている。
【００２１】
ナット２３は、上部の皿部２４とその下方の中空状の足部２５とからなり、皿部２４の表面には六角状の穴部２６が設けられ、この穴部２６に六角レンチを差し込んでナット２３を回転できるようになっている。そして、皿部２４は、その平面形状が前記支持脚受け桟１１の孔部１６の形状よりも大きな形状に形成されており、また足部２５は、その外形が上記孔部１６の形状とほぼ同じか小さめで孔部１６に嵌りこむような形状に形成されている。また、足部２５の中空状部には、前記ボルト部１７が螺合できる雌ネジが切られた螺合孔２７に形成されている。
【００２２】
尚、取り付け用凸部１７は、本実施形態のようなボルト部１７のような形状のものに限定されるものではなく、支持脚受け桟１１の孔部１６、１６の平面形状と同等乃至は少し小さめの水平断面形状にしておき、取り付け用凸部１７を孔部１６、１６に差し込むことによって支持脚２を支持脚受け桟１１に固定できるようなものであれば用いることができる。
【００２３】
高さ調整具１９は、支持脚２の高さをその下部を切断することによって概略調整した後、更に高さ位置を微調整する場合に好適に用いることができる。この高さ調整具１９は、設置面当接部２１とボルト状ネジ切り凸部２２とで構成されており、支持脚本体１８の下部に形成されたナット状ネジ切り凹部２０にボルト状ネジ切り凸部２２を螺合することによってその高さ位置を微調整できるようになっている。尚、ナット状ネジ切り凹部２０は、予め支持脚本体１８の下部に凹部を設けておき、高さ調節のためにその下部を必要量切断した後、この凹部に、内部に雌ネジを切ったナット状の筒を嵌め込むことにより形成することができる。
【００２４】
次に、本実施形態における玄関収納体Ａの設置方法を説明する。先ず、施工現場において、四角棒体からなる支持脚２の本体１８の下部を、玄関床２８と土間２９の段差に合せて高さ調整のために切断する。そしてこの下部を切断した支持脚２を台輪部である枠部４の支持脚受け桟１１に取り付ける。この支持脚受け桟１１への支持脚２の取り付けは、四角棒体からなる前側用及び後側用の夫々の支持脚２、２の一面を、枠部４の前枠７内面および後枠８内面にそれぞれ当接させながら、支持脚２の上部に固定された取り付け用凸部であるボルト部１７を、支持脚受け桟１１の前側および後側の孔部１６、１６にそれぞれ挿入して支持脚２を枠部４の支持脚受け桟１１に固定するための位置決めを行なう。
【００２５】
即ち、支持脚２の所定の面を枠部４の前枠７及び後枠８の内面にそれぞれ当接させた状態とすることで支持脚２の方向を位置決めし、この時に支持脚２の上部に突出したボルト部１７の位置が支持脚受け桟１１の前側または後側の孔部１６、１６に嵌りこむように孔部１６、１６の形成位置も予め位置決めされている。
【００２６】
次いで、孔部１６、１６の上部からナット２３の足部２５を孔部１６、１６に嵌め込むとともにその螺合孔２７を支持脚２のボルト部１７の先端部にあてがい、六角レンチ等によりナット２３の皿部２４を回転させてボルト部１７にナット２３を螺合させて締め付ける。
【００２７】
このようにすることにより、図６に示すように四角棒体からなる支持脚２を枠部４の前枠７および後枠８（図６では、後枠８）の内面に当接させた状態で位置決めし、枠部４の支持脚取り付け桟１１の孔部１６に、その上部のボルト部１７をナット２３によって固定することができる。この時、四角棒体からなる支持脚２の他面を枠部４の中桟９にも当接させておくことができる。
【００２８】
このようにして支持脚２、２を枠部４の支持脚受け桟１１の前側および後側所定位置に、その向きを一定にして取り付け、この枠部４の支持脚２、２を取り付けた側を土間２９側にして、枠部４を玄関床２８と土間２９の間に跨った所定位置に設置する。そして必要により支持脚２の下方に設けた高さ調整具１９により更に高さ調整した後、この枠部４の上に収納部３を載置することによって、玄関収納体Ａを玄関床２８と土間２９の間に跨って、支持脚の向きを一定にした状態で施工性良く設置することができる。
【００２９】
尚、本実施形態では、支持脚２を枠部４の前枠７および後枠８の内面に当接させた状態で位置決めしたものを示したが、これに限らず支持脚２を枠部４の側枠５、６の内面や中桟９、１０の内面に当接させて位置決めすることもできる。
【００３０】
尚、本実施形態では、玄関収納体を玄関床と土間に跨って設置する場合を示したが、本発明は、これに限らず種々の収納体を任意の設置面に高さ調整しながら設置する場合にも適用することが可能である。
【図面の簡単な説明】
【００３１】
【図１】本発明の実施形態である玄関収納体Ａの設置状態を示す正面図。
【図２】本発明の実施形態である玄関収納体Ａの枠部を下から見た状態を示す平面図。
【図３】図２の要部を拡大した部分斜視図。
【図４】本発明の実施形態である支持脚２を説明する斜視図。
【図５】図４の支持脚２を支持脚受け桟１１に固定するナットの斜視図と断面図。
【図６】本発明の実施形態である玄関収納体Ａの枠部に支持脚を取り付けた状態を示す垂直断面図。
【符号の説明】
【００３２】
Ａ                    玄関収納体
１                    玄関収納本体
２                    支持脚
３                    収納部
４                    枠部
５、６                側枠
７                    前枠
８                    後枠
９、１０              中桟
１１、１２            支持脚受け桟
１３、１４、１５      中空部
１６                  孔部
１７                  取り付け用凸部（ボルト部）
１８                  支持脚本体
１９                  高さ調整具
２０                  ナット状ネジ切り凹部
２１                  設置面当接部
２２                  ボルト状ネジ切り凸部
２３                  ナット
２４                  皿部
２５                  足部
２６                  孔部
２７                  螺合孔
２８                  玄関床
２９                  土間
【図１】
2009028216.tif 000003
【図２】
2009028216.tif 000004
【図３】
2009028216.tif 000005
【図４】
2009028216.tif 000006
【図５】
2009028216.tif 000007
【図６】
2009028216.tif 000008